【事件の表示】
　国際登録第９２８３０１号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＯＰＥＮＦＯＡＭ」の文字を横書きしてなり、第９類、第４１類及び第４２類に属する日本国を指定する国際登録において指定された商品及び役務を指定商品及び指定役務として、２００７年（平成１９年）８月１０日に国際商標登録出願（事後指定）されたものである。
　その後、指定商品及び指定役務については、当審における２００９年（平成２１年）７月２３日付けで国際登録簿に記録された限定の通報があった結果、第４１類「Ｅｄｕｃａｔｉｏｎ　ｓｅｒｖｉｃｅｓ；ｔｒａｉｎｉｎｇ　ｓｅｒｖｉｃｅｓ；ｅｄｕｃａｔｉｏｎａｌ　ａｎｄ　ｔｒａｉｎｉｎｇ　ｃｏｎｓｕｌｔａｎｃｙ　ｓｅｒｖｉｃｅｓ　ｒｅｌａｔｉｎｇ　ｔｏ　ｃｏｍｐｕｔｉｎｇ　ａｎｄ　ｆｌｕｉｄ　ｄｙｎａｍｉｃｓ；ｏｎｌｉｎｅ　ｔｕｔｏｒｉａｌｓ　ｉｎ　ｔｈｅ　ｆｉｅｌｄ　ｏｆ　ｃｏｍｐｕｔｅｒｓ，ｃｏｍｐｕｔｅｒ　ｓｏｆｔｗａｒｅ，ｃｏｍｐｕｔｅｒ　ｓｙｓｔｅｍｓ，ｂｕｓｉｎｅｓｓ，ｂｕｓｉｎｅｓｓ　ｍａｎａｇｅｍｅｎｔ　ａｎｄ　ａｃｃｏｕｎｔｉｎｇ；ｅｄｕｃａｔｉｏｎ　ａｎｄ　ｔｒａｉｎｉｎｇ　ｓｅｒｖｉｃｅｓ，ｎａｍｅｌｙ，ｃｏｎｄｕｃｔｉｎｇ　ｃｌａｓｓｅｓ　ａｎｄ　ｓｅｍｉｎａｒｓ　ｉｎ　ｔｈｅ　ｆｉｅｌｄ　ｏｆ　ｃｏｍｐｕｔｅｒｓ，ｃｏｍｐｕｔｅｒ　ｓｏｆｔｗａｒｅ，ｃｏｍｐｕｔｅｒ　ｓｙｓｔｅｍｓ，ｂｕｓｉｎｅｓｓ　ｍａｎａｇｅｍｅｎｔ　ａｎｄ　ａｃｃｏｕｎｔｉｎｇ；ｅｄｕｃａｔｉｏｎ　ｉｎ　ｔｈｅ　ｆｉｅｌｄ　ｏｆ　ｄａｔａ　ｐｒｏｃｅｓｓｉｎｇ；ｅｄｕｃａｔｉｏｎ　ｓｅｒｖｉｃｅｓ　ｆｏｒ　ｉｍｐａｒｔｉｎｇ　ｄａｔａ　ｐｒｏｃｅｓｓｉｎｇ　ｔｅａｃｈｉｎｇ　ｍｅｔｈｏｄｓ；ｅｄｕｃａｔｉｏｎ　ｓｅｒｖｉｃｅｓ　ｒｅｌａｔｉｎｇ　ｔｏ　ｄａｔａ　ｐｒｏｃｅｓｓｉｎｇ；ｅｄｕｃａｔｉｏｎ　ｓｅｒｖｉｃｅｓ　ｒｅｌａｔｉｎｇ　ｔｏ　ｔｈｅ　ｍａｉｎｔｅｎａｎｃｅ　ｏｆ　ｅｌｅｃｔｒｏｎｉｃ　ｄａｔａ　ｐｒｏｃｅｓｓｉｎｇ　ｉｎｓｔａｌｌａｔｉｏｎｓ；ｅｄｕｃａｔｉｏｎ　ｓｅｒｖｉｃｅｓ　ｒｅｌａｔｉｎｇ　ｔｏ　ｔｈｅ　ｒｅｐａｉｒ　ｏｆ　ｅｌｅｃｔｒｏｎｉｃ　ｄａｔａ　ｐｒｏｃｅｓｓｉｎｇ　ｉｎｓｔａｌｌａｔｉｏｎｓ；ｅｄｕｃａｔｉｏｎａｌ　ｓｅｒｖｉｃｅｓ　ｒｅｌａｔｉｎｇ　ｔｏ　ｄａｔａ　ｐｒｏｃｅｓｓｉｎｇ；ｉｎｓｔｒｕｃｔｉｏｎａｌ　ｓｅｒｖｉｃｅｓ　ｒｅｌａｔｉｎｇ　ｔｏ　ｄａｔａ　ｐｒｏｃｅｓｓｉｎｇ；ｐｒｏｖｉｓｉｏｎ　ｏｆ　ｉｎｓｔｒｕｃｔｉｏｎ　ｒｅｌａｔｉｎｇ　ｔｏ　ｄａｔａ　ｐｒｏｃｅｓｓｉｎｇ；ｓｅｒｖｉｃｅｓ　ｆｏｒ　ｄａｔａ　ｐｒｏｃｅｓｓｉｎｇ　ｉｎｓｔｒｕｃｔｉｏｎ；ｓｅｒｖｉｃｅｓ　ｆｏｒ　ｓｅｔｔｉｎｇ　ｕｐ　ｄａｔａ　ｐｒｏｃｅｓｓｉｎｇ　ｔｅａｃｈｉｎｇ　ｐｒｏｇｒａｍｓ；ｔｒａｉｎｉｎｇ　ｉｎ　ｄａｔａ　ｐｒｏｃｅｓｓｉｎｇ　ｔｅｃｈｎｉｑｕｅｓ；ｔｒａｉｎｉｎｇ　ｉｎ　ｔｈｅ　ｕｓｅ　ｏｆ　ｄａｔａ　ｐｒｏｃｅｓｓｉｎｇ　ａｐｐａｒａｔｕｓ；ｔｒａｉｎｉｎｇ　ｉｎ　ｔｈｅ　ｕｓｅ　ｏｆ　ｄａｔａ　ｐｒｏｃｅｓｓｉｎｇ　ｐｒｏｇｒａｍｓ；ｔｒａｉｎｉｎｇ　ｒｅｌａｔｉｎｇ　ｔｏ　ｄａｔａ　ｐｒｏｃｅｓｓｉｎｇ；ｔｒａｉｎｉｎｇ　ｒｅｌａｔｉｎｇ　ｔｏ　ｄａｔａ　ｐｒｏｃｅｓｓｉｎｇ　ｔｅｃｈｎｉｑｕｅｓ；ｔｒａｉｎｉｎｇ　ｓｅｒｖｉｃｅｓ　ｒｅｌａｔｉｎｇ　ｔｏ　ｔｈｅ　ｏｐｅｒａｔｉｏｎ　ｏｆ　ｄａｔａ　ｐｒｏｃｅｓｓｉｎｇ　ａｐｐａｒａｔｕｓ；ｔｒａｉｎｉｎｇ　ｓｅｒｖｉｃｅｓ　ｒｅｌａｔｉｎｇ　ｔｏ　ｔｈｅ　ｕｓｅ　ｏｆ　ｄａｔａ　ｐｒｏｃｅｓｓｉｎｇ　ａｐｐａｒａｔｕｓ；ｔｕｉｔｉｏｎ　ｉｎ　ｄａｔａ　ｐｒｏｃｅｓｓｉｎｇ．」及び第４２類「Ａｐｐｌｉｃａｔｉｏｎ　ｓｅｒｖｉｃｅ　ｐｒｏｖｉｄｅｒ（ＡＳＰ）ｆｅａｔｕｒｉｎｇ　ｓｏｆｔｗａｒｅ　ｉｎ　ｔｈｅ　ｆｉｅｌｄ　ｏｆ　ｆｌｕｉｄ　ｆｌｏｗ　ａｎｄ　ｈｅａｔ　ｔｒａｎｓｆｅｒ；ｃｏｍｐｕｔｅｒ　ｓｏｆｔｗａｒｅ　ｃｏｎｓｕｌｔａｔｉｏｎ；ｃｏｍｐｕｔｅｒ　ｓｏｆｔｗａｒｅ　ｄｅｓｉｇｎ　ｆｏｒ　ｏｔｈｅｒｓ；ｃｏｍｐｕｔｅｒ　ｓｏｆｔｗａｒｅ　ｄｅｓｉｇｎ，ｃｏｍｐｕｔｅｒ　ｐｒｏｇｒａｍｍｉｎｇ，ｏｒ　ｍａｉｎｔｅｎａｎｃｅ　ｏｆ　ｃｏｍｐｕｔｅｒ　ｓｏｆｔｗａｒｅ；ｃｏｍｐｕｔｅｒ　ｓｏｆｔｗａｒｅ　ｄｅｖｅｌｏｐｍｅｎｔ；ｃｏｎｓｕｌｔａｎｃｙ　ｉｎ　ｔｈｅ　ｆｉｅｌｄ　ｏｆ　ｓｏｆｔｗａｒｅ　ｄｅｓｉｇｎ；ｃｏｎｓｕｌｔａｔｉｏｎ　ｓｅｒｖｉｃｅｓ　ｉｎ　ｔｈｅ　ｆｉｅｌｄｓ　ｏｆ　ｓｅｌｅｃｔｉｏｎ，ｉｍｐｌｅｍｅｎｔａｔｉｏｎ　ａｎｄ　ｕｓｅ　ｏｆ　ｃｏｍｐｕｔｅｒ　ｈａｒｄｗａｒｅ　ａｎｄ　ｓｏｆｔｗａｒｅ　ｓｙｓｔｅｍｓ　ｆｏｒ　ｏｔｈｅｒｓ；ｃｏｎｓｕｌｔｉｎｇ　ｓｅｒｖｉｃｅｓ　ｉｎ　ｔｈｅ　ｆｉｅｌｄ　ｏｆ　ｄｅｓｉｇｎ，ｓｅｌｅｃｔｉｏｎ，ｉｍｐｌｅｍｅｎｔａｔｉｏｎ　ａｎｄ　ｕｓｅ　ｏｆ　ｃｏｍｐｕｔｅｒ　ｈａｒｄｗａｒｅ　ａｎｄ　ｓｏｆｔｗａｒｅ　ｓｙｓｔｅｍｓ　ｆｏｒ　ｏｔｈｅｒｓ；ｃｕｓｔｏｍｉｚａｔｉｏｎ　ｏｆ　ｃｏｍｐｕｔｅｒ　ｓｏｆｔｗａｒｅ；ｄｅｓｉｇｎ　ｏｆ　ｃｏｍｐｕｔｅｒ　ｐｒｏｇｒａｍｓ　ａｎｄ　ｓｏｆｔｗａｒｅ　ｒｅｌａｔｉｎｇ　ｔｏ　ａｉｒｃｒａｆｔ；ｄｅｓｉｇｎ，ｄｅｖｅｌｏｐｍｅｎｔ　ａｎｄ　ｉｍｐｌｅｍｅｎｔａｔｉｏｎ　ｏｆ　ｓｏｆｔｗａｒｅ；ｄｅｖｅｌｏｐｍｅｎｔ　ｏｆ　ｃｏｍｐｕｔｅｒ　ｐｒｏｇｒａｍｓ　ｒｅｃｏｒｄｅｄ　ｏｎ　ｄａｔａ　ｍｅｄｉａ（ｓｏｆｔｗａｒｅ）ｄｅｓｉｇｎｅｄ　ｆｏｒ　ｕｓｅ　ｉｎ　ｃｏｎｓｔｒｕｃｔｉｏｎ　ａｎｄ　ａｕｔｏｍａｔｅｄ　ｍａｎｕｆａｃｔｕｒｉｎｇ（ｃａｄ／ｃａｍ）；ｉｎｓｔａｌｌａｔｉｏｎ　ｏｆ　ｃｏｍｐｕｔｅｒ　ｓｏｆｔｗａｒｅ；ｍａｉｎｔｅｎａｎｃｅ　ｏｆ　ｃｏｍｐｕｔｅｒ　ｓｏｆｔｗａｒｅ；ｒｅｎｔａｌ　ｏｆ　ａｐｐｌｉｃａｔｉｏｎ　ｓｏｆｔｗａｒｅ；ｒｅｎｔａｌ　ｏｆ　ｃｏｍｐｕｔｅｒｓ　ａｎｄ　ｓｏｆｔｗａｒｅ；ｓｏｆｔｗａｒｅ　ａｕｔｈｏｒｉｎｇ；ｔｅｃｈｎｉｃａｌ　ｓｕｐｐｏｒｔ　ｓｅｒｖｉｃｅｓ，ｎａｍｅｌｙ，ｔｒｏｕｂｌｅｓｈｏｏｔｉｎｇ　ｏｆ　ｃｏｍｐｕｔｅｒ　ｈａｒｄｗａｒｅ　ａｎｄ　ｓｏｆｔｗａｒｅ　ｐｒｏｂｌｅｍｓ；ｕｐ−ｄａｔｉｎｇ　ｏｆ　ｃｏｍｐｕｔｅｒ　ｓｏｆｔｗａｒｅ；ｕｐｄａｔｉｎｇ　ｏｆ　ｃｏｍｐｕｔｅｒ　ｓｏｆｔｗａｒｅ　ｆｏｒ　ｏｔｈｅｒｓ．」とされた。
２　原査定の拒絶の理由
　原査定は、「本願商標は、登録第４６６５０９４号商標（以下「引用商標」という。）と同一又は類似の商標であって同一又は類似の商品について使用をするものであるから、商標法第４条第１項第１１号に該当する。」旨認定、判断し、本願を拒絶したものである。
３　当審の判断
　本願の指定商品及び指定役務は、前記１のとおり補正された結果、引用商標の指定商品と同一又は類似の商品がすべて削除されたと認められるものである。
　その結果、本願の指定役務は、引用商標の指定商品と類似しないものとなったと認められる。
　したがって、本願商標が商標法第４条第１項第１１号に該当するとした原査定の拒絶の理由は解消した。
　その他、政令で定める期間内に本願について拒絶の理由を発見しない。
　よって、結論のとおり審決する。